(57)【要約】【課題】外刃と外刃枠との間に皮膚支持リムを介在させる場合に、皮膚に対する外刃の押圧力が大きくなった時に過度な深剃りとなったり、髭剃り後にヒリヒリ感が残ったりするのを防ぐ。【解決手段】モータを内蔵する本体部５０の上部に保持され多数の髭導入孔を有する略円盤状の外刃１８と、この外刃１８の内面に弾接しつつモータにより回転駆動される内刃とを備えるロータリー式電気かみそりにおいて、本体部５０に固定された外刃枠１４Ａと、外刃枠１４Ａと外刃１８との間に介在され外刃１８を保持すると共に外刃枠１４Ａに対して沈み込み可能に弾性支持された皮膚保護リム１６とを備える。【選択図】図２
2007130166.tif 000002
【特許請求の範囲】
【請求項１】
モータを内蔵する本体部の上部に保持され多数の髭導入孔を有する略円盤状の外刃と、この外刃の内面に弾接しつつ前記モータにより回転駆動される内刃とを備えるロータリー式電気かみそりにおいて、
前記本体部に固定された外刃枠と、前記外刃枠と前記外刃との間に介在され前記外刃を保持すると共に前記外刃枠に対して沈み込み可能に弾性支持された皮膚保護リムとを備えることを特徴とするロータリー式電気かみそり。
【請求項２】
皮膚保護リムは外刃枠に対して揺動可能かつ沈み込み可能に弾性支持されている請求項１のロータリー式電気かみそり。
【請求項３】
外刃は皮膚保護リムに対して沈み込み可能に弾性支持されている請求項１または２のロータリー式電気かみそり。
【請求項４】
皮膚保護リムは内刃の回転中心軸線を通りこの回転中心軸線に対して直交する直線上に位置する２つ支点によって外刃枠に支持され、前記２つの支点が外刃枠に対して沈み込み可能である請求項２のロータリー式電気かみそり。
【請求項５】
２つの支点は皮膚保護リムの外周に形成された突起で形成され、これらの突起は外刃枠に上下方向に長く形成された凹部に係合して揺動可能かつ上下可能である請求項２のロータリー式電気かみそり。
【請求項６】
外刃枠に形成された凹部には、突起を押し上げるばねが装填されている請求項５のロータリー式電気かみそり。
【請求項７】
外刃枠の中心に対して周方向へ等間隔に配設された複数の外刃と、これらの外刃に対応する内刃および皮膚保護リムを備え、周方向に隣接する皮膚リムの対向縁は外刃枠の中心から外刃の間を通る直線にほぼ沿う請求項１または２のロータリー式電気かみそり。
【請求項８】
隣接する皮膚保護リムは対向縁でヒンジ結合されている請求項７のロータリー式電気かみそり。
【発明の詳細な説明】
【技術分野】
【０００１】
この発明は、モータを内蔵する本体部の上部に外刃を保持し、この外刃の内面に内刃を弾接しつつ回転させることによって、外刃の髭導入孔に入った髭を内刃で切断するロータリー式電気かみそりに関するものである。
【背景技術】
【０００２】
この種の電気かみそりにおいて、外刃と皮膚との密着性を向上させるために、外刃を沈み込み可能にすることが公知である。すなわち本体部に固定した外刃枠に外刃装着孔を形成し、ここに外刃を下方から装填し、外刃を弾性的に上向きに押上げるものである。
【０００３】
通常内刃を回転駆動する駆動軸に圧縮コイルばねを組付け、この圧縮コイルばねによって駆動軸に上向きの復帰習性を付与し、この駆動軸の上向きの復元力によって内刃を外刃に弾接させ、外刃に上向きの復元力を付与している。このため外刃は押下げ可能であると共に、外刃枠の外刃装着孔と外刃の外周との間隙の範囲内で揺動可能である。
【０００４】
外刃枠に対して外刃を揺動可能にするものでは、外刃の揺動角度範囲が小さくなり、特に皮膚表面の凹凸の曲率が小さい場合に外刃と皮膚との密着性が不十分になる。また皮膚が外刃の全面に密着できない場合は外刃の利用効率が悪くなり、剃り味が低下することになる。
【０００５】
外刃の外刃枠に対する揺動許容角度を大きくすることによりこの問題を解決することも考えられるが、この場合は外刃の周縁が皮膚に鋭角的に当たることになり、外刃の周縁に対する皮膚の接触圧が大きくなる。このため外刃の髭導入孔に皮膚が入り込み、過度に深剃りとなったり髭剃り後にヒリヒリ感が残る、という問題が生じる。
【０００６】
【特許文献１】特表平９−５０３４２４
【０００７】
一方特許文献１は、外刃と外刃枠との間に皮膚支持リムを介在させ、この皮膚支持リムを外刃枠に対して揺動可能にするものを提案している。すなわち外刃の外周を皮膚支持リムで囲み、この皮膚支持リムを外刃と共に揺動させることにより、外刃が傾いた時に皮膚が外刃の外周縁に深く喰い込むのを皮膚支持リムによって防ぐものである。
【０００８】
図６はこの特許文献１に示された構造を示す要部の側断面であり、（Ａ）は揺動中心軸線ｙに沿った断面、（Ｂ）は揺動中心軸線ｙ方向から見た揺動支点の構造を示す図、（Ｃ）は外刃と皮膚支持リムの傾斜時を示す図である。図７はその動作説明図である。
【０００９】
これらの図で符号１０は刃ヘッド部であり、本体部（図示せず）の上部に開閉可能または着脱可能に固定されている。刃ヘッド部１０には、例えば３組の刃ユニット１２が平面視で正三角形の頂点となる位置に組込まれている。刃ユニット１２は後記外刃１８とこの外刃１８の内面に弾接して回転する内刃（図示せず）とで形成される。
【００１０】
刃ヘッド部１０は本体部に対して上方へ開閉可能または着脱可能な外刃枠１４と、この外刃枠１４に組付けられた３個の皮膚支持リム１６および３個の外刃１８とを持つ。
【００１１】
外刃１８は金属薄板で作られ、略円盤状のキャップ状である。すなわち円板の周縁を円筒状に折曲して（絞って）、その開口縁に外径方向に環状に突出するフランジ２０を形成したものである。外刃１８の中央の円形部分には多数のスリット２２がほぼ放射状に形成されている。このスリット２２が髭導入孔となる。
【００１２】
皮膚支持リム１６は外刃１８と外刃枠１４との間に介在する。すなわち各皮膚支持リム１６には、１つの外刃１８が下方から装着される円形の外刃装着孔２４が形成され、この外刃装着孔２４には、外刃１８のフランジ２０が下方から係合する。また各皮膚支持リム１６の外周は外刃枠１４に形成したリム装着孔２６に揺動可能に支持される。
【００１３】
皮膚支持リム１６の外周面には一対の突起２８（一方のみ図示）が突設されている。これらの突起２８は外刃１８の中心を通り外刃１８の上面に対して垂直な線、すなわち内刃の回転中心軸線ｘ（図６）に直交し、外刃１８のフランジ２０付近を通る直線ｙに沿って形成されている。この突起２８は図６（Ｂ）、（Ｃ）に示すように、下面が直線ｙを中心とする円弧面であり、上面は直線ｙを頂線（２つの斜面が交わる直線）として両側が下方へ傾斜した略屋根形の斜面となっている。
【００１４】
一方外刃枠１８のリム装着孔２６には、突起２８が係入する略長方形の凹部３０が形成されている。この凹部３０は上面が直線ｙを含み、下面および側面が突起２８の円弧面に摺接する。このため突起２８は凹部３０内で直線ｙを中心にして回動することになり、この結果皮膚支持リム１６が直線ｙを中心にして揺動する。すなわち直線ｙはこの皮膚支持リム１６の揺動中心軸線となる。
【００１５】
突起２８はその上面の斜面が凹部３０の上面に当接することにより、皮膚支持リム１６の揺動角度範囲が制限される。図６（Ｂ）はこの状態を示している。
【発明の開示】
【発明が解決しようとする課題】
【００１６】
図６に示した従来装置において、外刃１８を皮膚に押し付けた時には図７（Ａ）に示すように外刃１８および皮膚支持リム１６が揺動する。図７において符号３２は皮膚の表面を示す。図７（Ａ）は外刃１８の皮膚３２に対する押圧力Ｆ１が小さい状態を示し、図７（Ｂ）は押圧力Ｆ２が大きい状態を示す。
【００１７】
押圧力Ｆ１が小さい時（図７（Ａ））には、外刃１８の外側で皮膚３２は外刃１８の縁からはみ出しても、皮膚支持リム１６の上縁に当たる。このため外刃１８の縁に対する皮膚３２の接触圧は過大にならず、皮膚３２が過度に深剃りとなったり、ヒリヒリ感を発生させるおそれは少ない。
【００１８】
しかし押圧力Ｆ２が大きくなると、図７（Ｂ）に示すように皮膚３２が皮膚支持リム１６の上縁を乗り越えて外刃枠１８の上まではみ出すことがある。従ってこの時には外刃１８の縁に対する皮膚３２の接触圧が過大になり、過度に深剃りとなったり、ヒリヒリ感を発生させるという問題が生じる。
【００１９】
この発明はこのような事情に鑑みなされたものであり、外刃と外刃枠との間に皮膚支持リムを介在させる場合に、皮膚に対する外刃の押圧力が大きくなった時にも過度な深剃りとなったり、髭剃り後にヒリヒリ感が残ったりするのを防ぐことができるロータリー式電気かみそりを提供することを目的とする。
【課題を解決するための手段】
【００２０】
この発明によればこの目的は、モータを内蔵する本体部の上部に保持され多数の髭導入孔を有する略円盤状の外刃と、この外刃の内面に弾接しつつ前記モータにより回転駆動される内刃とを備えるロータリー式電気かみそりにおいて、前記本体部に固定された外刃枠と、前記外刃枠と前記外刃との間に介在され前記外刃を保持すると共に前記外刃枠に対して沈み込み可能に弾性支持された皮膚保護リムとを備えることを特徴とするロータリー式電気かみそり、により達成される。
【発明の効果】
【００２１】
本体部に固定された外刃枠と外刃との間で外刃を保持する皮膚保護リムを、外刃枠に対して沈み込み可能に弾性支持したものであるから、皮膚に対する外刃の押圧力が大きい時には外刃と皮膚保護リムとが外刃枠に対して沈み込み、外刃の外側にはみ出した皮膚は皮膚保護リムだけでなく外刃枠の上縁によっても支持されることになる。このため皮膚は外刃の縁に過大な接触圧で接触することがなくなり、過度な深剃りやヒリヒリ感を発生させることがない。
【発明を実施するための最良の形態】
【００２２】
皮膚保護リムは外刃枠に対して揺動可能かつ沈み込み可能にすれば、外刃の本体部に対する揺動可能範囲が拡大し、外刃上面と皮膚との密着性はさらに向上する（請求項２）。外刃は皮膚保護リムに対して沈み込み可能に弾性支持すれば、外刃の縁に押し付けられる皮膚はその外側で外刃に対して相対的に上昇する皮膚保護リムと外刃枠に接触し易くなる。このため本発明の効果は一層大きくなる（請求項３）。
【００２３】
皮膚保護リムを外刃枠に対して沈み込み可能（上下動可能）に支持するためには、内刃の回転中心軸線（ｘ）を通りこの中心軸線（ｘ）に対して直交する直線ｙ（揺動中心軸線）上に位置する２つの支点によって皮膚保護リムを支持し、これらの支点を外刃枠に対して沈み込み可能とすることができる（請求項４）。
【００２４】
この場合、２つの支点は皮膚保護リムの外周に形成した突起で形成し、この突起が係入するように外刃枠に形成した凹部を上下方向に長くすることができる（請求項５）。突起を押し上げるばねをこの凹部に装填することにより、皮膚保護リムに上向きの復帰習性（復元力）を付与することができる（請求項６）。
【００２５】
外刃および皮膚保護リムは、外刃枠の中心に対して周方向に等間隔に複数個を配列することができる。この場合には周方向に隣接する皮膚リムの対向縁を、外刃枠の中心から外刃の間を通って外側へのびる直線にほぼ沿わせるのがよい（請求項７）。
【００２６】
隣接する皮膚保護リムは互いに独立に揺動・上下動可能にすれば、各外刃、皮膚保護リムの動きの自由度が増えることになり外刃と内刃とで構成される各刃ユニットの動作が円滑になる。しかし隣接する皮膚保護リムの対向縁を互いにヒンジ結合しておいてもよい（請求項７）。この場合は隣接する皮膚保護リムが連係して動作することになり、皮膚保護リムの高さがこの対向縁で揃うことになるから、例えばヘッド部を皮膚に対して滑らせて移動する時に隣接する外刃を滑らかに移動させることができる（請求項８）。
【実施例１】
【００２７】
図１は本発明の一実施例を示す斜視図、図２は要部側断面図であって、（Ａ）は揺動中心軸線（ｙ）に沿った断面、（Ｂ）は揺動中心軸線ｙ方向から見た揺動支点の構造を示す図、（Ｃ）は皮膚保護リムの傾斜時を示す図、（Ｄ）は皮膚保護リムが沈み込んだ状態（押し込んだ状態）を示す。図３はその動作説明図、図４は皮膚保護リムの形状を示す刃ヘッド部の平面図である。
【００２８】
図１において５０は本体部、図１〜３において１０Ａは刃ヘッド部、１２Ａは刃ユニットである。この実施例で前記図６〜７の従来例と異なるのは、皮膚保護リム１６の突起２８が係入する外刃枠１８Ａの凹部３０Ａの形状と、この凹部３０Ａに板ばね５２を装填した点である。従って図１〜３において図６、７と同一部分に同一符号を付すことにより、その説明は繰り返さない。なお皮膚保護リム１６は図６、７の皮膚支持リム１６と同じ機能を持つものである。
【００２９】
凹部３０Ａは前記図６〜７の凹部３０に対して下方へ長く形成され、その下面には上方へ凸な略波形の板ばね５２の両端が係止され、この板ばね５２の中央部は突起２８の下面に当接している。従って突起２８は通常は板ばね５２に押し上げられて凹部３０Ａの上面に当たっている（図２の（Ｂ）の状態）。
【００３０】
皮膚保護リム１６は揺動軸ｙを中心にして揺動する。図２（Ｃ）の実線は図６（Ｃ）と同じ状態である。皮膚保護リム１６を押し下げると、突起２８は板ばね５２を圧縮しつつ凹部３０Ａ内で下降する。このため皮膚保護リム１６は図２（Ｃ）に仮想線で示す位置すなわち図２（Ｄ）に示す位置に来る。図２（Ｂ）、図３（Ａ）で寸法ａは皮膚保護リム１６の沈み込み量を示している。
【００３１】
この図２（Ｄ）に示す状態では皮膚保護リム１６の上縁の高さは外刃枠１４Ａの上縁の高さに接近することになる。図３（Ａ）に明らかなように、皮膚保護リム１６が下降すると外刃枠１４Ａの上縁が相対的に上昇することになる。このため、図３（Ｂ）に示した皮膚３２は、外刃１８の外側で皮膚保護リム１６と外刃枠１４Ａとで支持されることになり、皮膚に過大な接触圧が加わらず、過度な深剃りやヒリヒリ感が発生しなくなる。
【００３２】
図３（Ｂ）は他の動作状態、すなわち皮膚保護リム１６が図３（Ａ）の反対側へ揺動した状態を示す。このように皮膚保護リム１６の縁が外刃枠１４Ａ側に傾いてかつ沈み込んだ時には、外刃枠１４Ａよりも下に沈み込むから、皮膚の保護は一層確実である。なお外刃１８は内刃（図示せず）により押上げられているから、外刃１８は皮膚保護リム１６に対して沈み込み可能である。このため皮膚保護リム１６だけでなく外刃１８も沈み込むので皮膚の保護はさらに確実に行われる。
【００３３】
３つの皮膚保護リム１６は図４に示すように配列される。すなわち隣接する皮膚保護リム１６の対向縁は、外刃枠１６の中心Ｐから外刃１８、１８の間を通って外側へのびる直線Ｑに沿って形成される。隣接する皮膚保護リム１６、１６は互いに独立に作動（揺動・上下動）するものであってもよいが、この対向縁を互いにヒンジ結合して互いに連係させてもよい。
【実施例２】
【００３４】
図５は２つの外刃１８を設けた刃ヘッド部１０Ｂを示す平面図である。この実施例では、外刃枠１４Ｂを長円形とし、外刃１８、１８を囲む皮膚保護リム１６Ｂ、１６Ｂはこの外刃枠１４Ｂの中心Ｐを通りその長軸に直交する直線Ｑで外刃枠１４Ａの内側を分割した形状とされる。
【００３５】
各皮膚保護リム１６Ｂ、１６Ｂはこの直線Ｑに沿う対向縁で分割して互いに独立に作動するようにしてもよいし、ヒンジ結合しておいてもよい。
【図面の簡単な説明】
【００３６】
【図１】本発明の一実施例の斜視図
【図２】その要部の側断面図
【図３】その動作説明図
【図４】刃ヘッド部の平面図
【図５】他の刃ヘッド部を示す平面図
【図６】従来例を示す要部側断面図
【図７】その動作説明図
【符号の説明】
【００３７】
１０Ａ  刃ヘッド部
１２Ａ  刃ユニット
１４Ａ、１４Ｂ  外刃枠
１６、１６Ｂ  皮膚保護リム
１８  外刃
２８  突起
３０Ａ  凹部
５０  本体部
５２  板ばね
ｘ  内刃の回転中心軸線
ｙ  皮膚保護リムの揺動中心軸線
Ｐ  外刃枠の中心
【図１】
2007130166.tif 000003
【図２】
2007130166.tif 000004
【図３】
2007130166.tif 000005
【図４】
2007130166.tif 000006
【図５】
2007130166.tif 000007
【図６】
2007130166.tif 000008
【図７】
2007130166.tif 000009